(57)【要約】【課題】凹凸屋根材に棟包みが設置された屋根構造に電気機器を設置する場合にも、棟包みを取り外さないで電気機器を設置することができる屋根構造を提供する。【解決手段】本発明は、凹凸屋根材１と、棟包み２とを備えた屋根構造である。棟包み２の下方において屋根下から凹凸屋根材１上に亙って設けられ、電気機器７に接続された配線が挿通される電線管４と、軒側に向かって開口しており電線管４の軒側の端部の上方を覆った状態で凹凸屋根材１の凹部１２に嵌め込まれた配線カバー５と、この配線カバー５の軒側の開口を閉塞するように取り外し可能に取り付けられた前カバー６とを備えている。前カバー６は、電線管４を保持する保持部６１を有している。配線カバー６は、棟包み２の下方に引き出し自在に収納されている。【選択図】図１
2014080722.tif 000002
【特許請求の範囲】
【請求項１】
下方に開口し上方に突出する凸部と上方に開口し下方に凹む凹部とが軒に沿った方向に交互に形成された凹凸屋根材と、
この凹凸屋根材の棟側の端部を覆う棟包みと
を備えた屋根構造であって、
棟包みの下方において屋根下から前記凹凸屋根材の凹部上に亙って設けられ、前記凹凸屋根材上に配置される電気機器に接続された配線が挿通される電線管と、
軒側に向かって開口しており前記電線管の軒側の端部の上方を覆った状態で前記凹凸屋根材の凹部に嵌め込まれた配線カバーと、
この配線カバーの軒側の開口を閉塞するように取り外し可能に取り付けられた前カバーと
を備え、
前記前カバーは前記電線管の軒側の端部を保持する保持部を有し、
前記配線カバーは、前記棟包みの下方に引き出し自在に収納されている
ことを特徴とする屋根構造。
【発明の詳細な説明】
【技術分野】
【０００１】
本発明は、屋根構造に関する。
【背景技術】
【０００２】
特許文献１には従来の屋根構造が開示されている。この特許文献１記載の屋根構造は、ルーフデッキと、棟包板とを備えている。ルーフデッキは、凸部と凹部とが軒に沿った方向に交互に形成されている。棟包板は、ルーフデッキの棟側の端部を覆うようにして取り付けられている。
【０００３】
このような特許文献１記載の屋根構造は、ルーフデッキ上に、例えば、ＰＶパネル（photovoltaic panel  太陽電池パネル）等の電気機器が設置される場合がある。この場合、電気機器の配線は、ルーフデッキの凹部に沿って棟側に向かって配設され、棟包板の下方において屋根上から屋根下に向かって配線される。
【０００４】
このとき、ルーフデッキの凹部内には、配線を覆うようにして、配線カバーが取り付けられる。
【先行技術文献】
【特許文献】
【０００５】
【特許文献１】特開２００３−１３８６９５号公報
【発明の概要】
【発明が解決しようとする課題】
【０００６】
ところで、既に葺設されたルーフデッキに対して、新たにＰＶパネル等の電気機器を設置する場合、施工者は、配線を屋根上から屋根下に通す必要がある。この配線は、通常、浸水等を防止するため、棟包板の下方で、屋根上から屋根下に通される。このため、施工者は、一旦、棟包板を取り外した状態でなければ、電気機器の配線を屋根上から屋根下に通すことができない。
【０００７】
本発明は、上記事情に鑑みてなされたものであり、その目的とするところは、凹凸屋根材に棟包みが設置された屋根構造に電気機器を設置する場合にも、棟包みを取り外さないで電気機器を設置することができる屋根構造を提供することにある。
【課題を解決するための手段】
【０００８】
本発明の屋根構造は、下方に開口し上方に突出する凸部と上方に開口し下方に凹む凹部とが軒に沿った方向に交互に形成された凹凸屋根材と、この凹凸屋根材の棟側の端部を覆う棟包みとを備えた屋根構造であって、この棟包みの下方において屋根下から前記凹凸屋根材の凹部上に亙って設けられ、前記凹凸屋根材上に配置される電気機器に接続された配線が挿通される電線管と、軒側に向かって開口しており前記電線管の軒側の端部の上方を覆った状態で前記凹凸屋根材の凹部に嵌め込まれた配線カバーと、この配線カバーの軒側の開口を閉塞するように取り外し可能に取り付けられた前カバーとを備え、前記前カバーは前記電線管の軒側の端部を保持する保持部を有し、前記配線カバーは、前記棟包みの下方に引き出し自在に収納されていることを特徴とする。
【発明の効果】
【０００９】
本発明の屋根構造によれば、凹凸屋根材に棟包みが設置された屋根構造に電気機器を設置する場合にも、棟包みを取り外さないで電気機器を設置することができる。
【図面の簡単な説明】
【００１０】
【図１】本実施形態の屋根構造を示す斜視図であり（ａ）は配線カバーが収納された状態であり（ｂ）は配線カバーを引き出した状態であり（ｃ）は、配線カバーから前カバーと取り外した状態である。
【図２】本実施形態の屋根構造を示す斜視図である。
【図３】本実施形態の屋根構造の配線用ユニットを説明するための図であり（ａ）は斜視図であり（ｂ）は平面図であり（ｃ）は前カバーを示す斜視図である。
【図４】本実施形態の屋根構造に電気機器を設置した状態の斜視図である。
【図５】本実施形態の屋根構造に電気機器を設置した状態の棟部分の断面図である。
【発明を実施するための形態】
【００１１】
以下、本発明の実施形態について添付図面に基づいて説明する。
【００１２】
本実施形態の屋根構造は、図２に示すように、片流れ屋根を有する建物の屋根構造である。なお、本実施形態において、屋根勾配方向は軒棟方向として定義される。屋根勾配方向のうち、水上側は棟側として定義され、水下側は軒側として定義される。また、屋根勾配方向に直角な軒に沿った方向は、軒方向として定義される。
【００１３】
なお、屋根構造は、片流れ屋根により構成されたものでなくてもよく、例えば、切妻屋根や寄棟屋根などであってもよく、特に限定されない。
【００１４】
屋根構造は、図１に示すように、凹凸屋根材１と、棟包み２と、配線用ユニット３とを備えている。凹凸屋根材１は、屋根下地８（図５参照）上に葺設されている。
【００１５】
屋根下地８は、凹凸屋根材１の下方に敷設されている。屋根下地８は、屋根勾配と略同じ角度で傾斜している。言い換えると、屋根下地８は、棟から軒に向かって下り傾斜している。屋根下地８は、垂木（図示せず）と、野地板８１とを備えている。垂木は、軒棟方向に長さを有している。垂木は、例えば、軒桁と母屋と棟木に支持されている。垂木は、軒方向に等間隔で複数設けられている。野地板８１は、垂木上に固定される。野地板８１は、軒棟方向および軒方向に長さを有しており、矩形板状に形成されている。
【００１６】
なお、屋根下地８は、垂木と野地板８１とを備えていなくてもよい。例えば、屋根下地８は、母屋と、母屋上に設置されたタイトフレームとを備えたものであってもよい。
【００１７】
凹凸屋根材１は、図２に示すように、下方に開口し且つ上方に突出する凸部１１と、上方に開口し且つ下方に凹む凹部１２とを備えている。凸部１１と凹部１２とは、軒方向に交互に形成されている。凹凸屋根材１は、軒棟方向に長さを有し、軒方向に幅を有し、平面視矩形状をしている。凹凸屋根材１の軒棟方向の長さは、屋根下地８の軒棟方向の長さと略同じ長さに形成されている。凹凸屋根材１の軒方向の幅は、一定の長さとなっている。凹凸屋根材１は、軒方向に沿って複数配置される。
【００１８】
隣り合う凹凸屋根材１同士は、連結具（図示せず）を介して接続される。連結具は、例えば、ビスや釘などの固着具を介して野地板８１に固定されている。これにより凹凸屋根材１は、野地板８１に固定されている。また、連結具にはカバー部材１３が取り付けられる。カバー部材１３は、例えば、逆Ｕ字状をしている。カバー部材１３は、凹凸屋根材１の対向する端部、及び連結具を覆うようにして配置される。
【００１９】
凹凸屋根材１は、例えば、ルーフデッキや、折板材などにより構成される。凹凸屋根材１は、断面角波状に形成されているが、断面丸波状に形成されてもよく、特に限定されない。また、凹凸屋根材１は、金属板により構成されており、より詳しくは、鋼板により構成されている。なお、凹凸屋根材１は、金属屋根材に限らず、例えばスレート屋根材であってもよい。
【００２０】
棟包み２は、凹凸屋根材１の棟側の端部を覆う。棟包み２は、屋根勾配方向に直角な方向（軒方向）に長さを有し、且つ軒棟方向に幅を有しており、凹凸屋根材１の棟側の端部を軒方向の略全長に亙って覆う。棟包み２は、凹凸屋根材１の軒方向の全長に亙って一体となっていてもよいし、複数の棟包み２が軒方向に連結されたものであってもよい。棟包み２は、例えば、金属板を曲げ加工することで形成されている。
【００２１】
軒包みの軒側の端部は、図５に示すように、前面２１と下面２２とを備えている。前面２１は、軒側に臨む面であり、凹凸屋根材１の頂面に対し略直角となっている。下面２２は、凹凸屋根材１の頂面と略平行となっている。この棟包み２の下面２２は、凹凸屋根材１の凸部１１の頂面に当接する。また棟包み２の下面２２は、凹凸屋根材１の凹部１２の底面と離間している。
【００２２】
配線用ユニット３は、凹凸屋根材１上に設置されるＰＶパネル７１等の電気機器７の配線７２を配設するために用いられる。配線用ユニット３は、図１に示すように、棟包み２と凹凸屋根材１の凹部１２との間に配置される。配線用ユニット３の軒側の先端は、棟包み２の前面２１と略同じ位置か、もしくはそれよりも棟側に位置しており、これにより、配線用ユニット３は、棟包み２の下方に収納されている。配線用ユニット３は、凹凸屋根材１の凹部１２に沿って軒棟方向にスライド自在となっており、これにより棟包み２の下方から引き出し自在となっている。この配線用ユニット３は、電線管４と、配線カバー５と、前カバー６とを備えている。
【００２３】
なお、配線用ユニット３は、軒側の先端が、棟包み２の前面２１と略同じ位置か、もしくはそれよりも棟側に位置しているが、棟包み２の前面２１よりも軒側に位置していてもよい。つまり、本実施形態にいう「収納」とは、配線用ユニット３の大部分が棟包み２に覆われていればよい。
【００２４】
電線管４は、図３に示すように、円筒状に形成されており、内部に配線７２が挿通されるものである。電線管４は、長さを有しており、長手方向の一端（第一端４１）が開口し、且つ他端（第二端）も開口している。第一端４１の開口と第二端の開口とは連通している。電線管４は、図５に示すように、第二端が、野地板８１の下方（屋根裏空間）に配置されており、第一端４１が、凹凸屋根材１の上方に配置されている。言い換えると、電線管４は、屋根下から凹凸屋根材１の凹部１２上に亙って設けられている。また、電線管４は、凹凸屋根材１の棟側の端部よりも棟側に形成された連通口８２を通って、屋根下から屋根上に亙って配設される。また、電線管４は、棟包み２の下方に配置されている。
【００２５】
なお連通口８２は、野地板８１よりも棟側に設けられた隙間により構成されてもよいし、野地板８１に形成された開口により構成されてもよい。
【００２６】
電線管４は、可撓性を有している。電線管４は、例えば、合成樹脂により形成されたパイプにより構成されている。電線管４は、例えば、ＰＦ（Plastic Flexible conduit）管やＣＤ（Combined Duct）管により構成されるが、特に限定されない。なお、電線管４は、可撓性を有さない金属管により構成されてもよい。
【００２７】
配線カバー５は、図１に示すように、凹凸屋根材１上に設置される電気機器７の配線７２を上方から覆うものである。配線カバー５は、図３に示すように、断面逆Ｕ字状をしている。配線カバー５は、軒棟方向に長さを有している。配線カバー５は、軒棟方向の両端に開口部を有している。言い換えると、配線カバー５は、少なくとも軒側に向かって開口している。
【００２８】
なお、配線カバー５は、筒状に形成されたものであってもよく、例えば、断面矩形状の角筒状であってもよい。
【００２９】
配線カバー５は、凹凸屋根材１の凹部１２に軒棟方向にスライド自在に嵌め込まれる。配線カバー５の上面は、凹凸屋根材１の凸部１１の頂面と面一か、もしくはそれよりも低く位置している。配線カバー５は、棟包み２の下方に収納配置されており、これにより、棟包み２の下方に引き出し自在に収納されている。
【００３０】
配線カバー５は、電線管４の軒側の端部を上方から覆うようにして配置される。配線カバー５は、前カバー６を介して、電線管４を保持する。これにより、配線カバー５を棟包み２の下方から引き出すと、配線カバー５と一緒に電線管４も引き出される。
【００３１】
前カバー６は、配線カバー５の軒側の開口部に取り外し自在に取り付けられている。前カバー６は、配線カバー５の軒側の開口を閉塞する。前カバー６は、図３（ｃ）に示すように、ブロック状に形成されている。前カバー６は、例えば、ゴムにより構成されている。また、前カバー６には、保持部６１が形成されている。
【００３２】
前カバー６は、配線カバー５に固定されている。前カバー６は、例えば、配線カバー５に対し取り外し可能な程度に接着されている。なお、前カバー６は配線カバー５の軒側の開口部に圧入されることで固定されてもよく、その固定方法は特に限定されない。
【００３３】
保持部６１は、前カバー６の裏側の面（棟側の面）に形成されている。保持部６１は、例えば、電線管４よりも直径の小さい丸穴６２により構成されている。この丸穴６２は、前カバー６を貫通しないようにして（非貫通状態で）設けられている。保持部６１には電線管４が嵌入されるようになっており、これにより、保持部６１は電線管４の軒側の端部を保持する。
【００３４】
なお、保持部６１は、丸穴６２により構成されていなくてもよい。保持部６１は、例えば、前カバー６の裏側の面に、保持用の金具が取り付けられたものであってもよく、本実施形態の構造に特に限定されない。
【００３５】
本実施形態の屋根構造の凹凸屋根材１上には、図４に示すように、電気機器７が配置される。電気機器７としては、例えば、ＰＶパネル７１や、エアコンの室外機や、アンテナ等が挙げられるが、特に限定されるものではない。なお、本実施形態の電気機器７は、ＰＶパネル７１により構成されている。
【００３６】
ＰＶパネル７１は、略矩形状をしている。ＰＶパネル７１の棟側の端部と、棟包み２の軒側の端部とは、軒棟方向に一定距離離間している。ＰＶパネル７１の棟側の端部と、棟包み２の軒側の端部との距離は、配線カバー５の長さと略同じ長さか、またはそれよりも短く形成されている。
【００３７】
電気機器７には、配線７２が接続されている。配線７２は、配線用ユニット３を介して、室内に引き込まれる。以下、電気機器７の配線７２を室内に引き込む施工方法につき説明する。
【００３８】
施工者は、ＰＶパネル７１を設置する際、配線カバー５を棟包み２の下方から軒側に引き出す。すると、配線カバー５は、前カバー６を介して電線管４を引き出す（図１（ｂ））。施工者は、その状態で、前カバー６を配線カバー５から取り外し、前カバー６から電線管４を取り外す（図１（ｃ））。施工者は、ＰＶパネル７１の配線７２を、電線管４の第一端４１の開口から挿入し、これにより配線７２の先端を室内側に通線する。
【００３９】
施工者は、電線管４の内部を通してＰＶパネル７１の配線７２を配設した後、配線カバー５を、さらに引き出して、電線管４および配線７２を覆うよう配置する。配線カバー５は、ＰＶパネル７１の棟側の端部と、棟包み２の軒側の端部との間に亙って配置される（図５）。
【００４０】
以上、本実施形態の屋根構造は、凹凸屋根材１と棟包み２とを備えている。凹凸屋根材１は、下方に開口し上方に突出する凸部１１と、上方に開口し下方に凹む凹部１２とが、軒に沿った方向に交互に形成されている。棟包み２は、凹凸屋根材１の棟側の端部を覆う。また、本実施形態の屋根構造は、電線管４と、配線カバー５と、前カバー６とを備えている。電線管４は、棟包み２の下方において、屋根下から凹凸屋根材１の凹部１２上に亙って設けられている。また電線管４には、凹凸屋根材１上に配置される電気機器７に接続された配線７２が挿通される。配線カバー５は、軒側に向かって開口している。また配線カバー５は、電線管４の軒側の端部の上方を覆った状態で、凹凸屋根材１の凹部１２に嵌め込まれている。前カバー６は、配線カバー５の軒側の開口を閉塞するように取り外し可能に取り付けられている。また、前カバー６は、電線管４の軒側の端部を保持する保持部６１を有している。配線カバー５は、棟包み２の下方に引き出し自在に収納されている。
【００４１】
このため、本実施形態の屋根構造によれば、凹凸屋根材１上に電気機器７を設置する場合、施工者は、配線カバー５を引き出して、電線管４の内部に電気機器７の配線７２を挿通すれば、屋根上から屋根下に向かって配線７２を配線７２することができる。また、本実施形態の屋根構造によれば、凹凸屋根材１上に電気機器７が設置されない場合、配線カバー５は棟包み２の下方に収納されているため、建物の外観が損なわれるのを防ぐことができる。すなわち、本実施形態の屋根構造によれば、電気機器７が設置される場合と、電気機器７が設置されない場合とのいずれの場合であっても、選択的に適用することができる。このため、施工者は、電気機器７を追加的に設置する場合であっても、棟包み２を取り外さずに、電気機器７の配線７２を行なうことができる。
【００４２】
また本実施形態の屋根構造によれば、配線カバー５の軒側の開口には前カバー６が取り付けられるため、配線カバー５を通して室内側に浸水することも防止できる。
【００４３】
なお、本発明の屋根構造は、本実施形態にのみ限定されるものではなく、要旨を逸脱しない範囲内で適宜変更して実施し得るものである。
【符号の説明】
【００４４】
１      凹凸屋根材
１１    凸部
１２    凹部
１３    カバー部材
２      棟包み
２１    前面
３      配線用ユニット
４      電線管
５      配線カバー
６      前カバー
６１    保持部
６２    丸穴
７      電気機器
７１    ＰＶパネル
７２    配線
８      屋根下地
８１    野地板
８２    連通口
【図１】
2014080722.tif 000003
【図２】
2014080722.tif 000004
【図３】
2014080722.tif 000005
【図４】
2014080722.tif 000006
【図５】
2014080722.tif 000007